(57)【特許請求の範囲】
【請求項１】
天井、壁、梁、柱その他建築物の特定の領域のアスベスト施工面に吹き付けられているアスベストを除去する方法であって、
前記建築物の表面の一部でアスベストが吹き付けられているアスベスト施工面と間隔を介して対向するシート材又は板材は、その外周の端面を密閉区画外に向けて折り曲げるようにして折り曲げ部を設け、該折り曲げ部を発泡ウレタン剤である境界安定剤を介して、アスベスト施工面の外方を囲むノンアスベスト面に密着させ、前記アスベストが吹き付けられている前記アスベスト施工面を含む領域の外方を、密閉機能と耐圧機能を兼ね備えるシート材又は板材が前記間隔を介して包囲することで、耐負圧性の密閉区画を形成する隔離工程と、
前記シート材又は板材を貫通して前記密閉区画内の空気を吸引する負圧発生機構を備えた集塵装置によって、その密閉区画内部を負圧とする負圧工程と、
前記アスベスト施工面とシート材又は板材との間の間隔によって形成されて負圧となった密閉区画内において、前記アスベスト施工面のアスベストに対してドライアイス粒を噴射してアスベストを前記アスベスト施工面から剥離するアスベスト剥離工程と、
前記アスベスト施工面から剥離したアスベストと、ドライアイスから気化した炭酸ガスを含む密閉区画内の空気とを前記集塵装置の負圧発生機構によって吸引し、剥離したアスベストを集塵するのに際し、前記密閉区画内の強い負圧空間を維持したままＨＥＰＡフィルタを有する給気フィルタから外部の空気を前記密閉区画内に取り入れながら行う集塵工程と、
を有することを特徴とする小規模アスベスト施工面のアスベスト除去方法。
【請求項２】
前記隔離工程において、前記境界安定剤は、前記シート材又は板材の前記折り曲げ部における前記密閉区画内側と前記密閉区画外側の間に、ノンアスベスト面に密着させない非密着空間を残すように、前記密閉区画内側および前記密閉区画外側と前記ノンアスベスト面との間に、塗布されてなることを特徴とする請求項１に記載の小規模アスベスト施工面のアスベスト除去方法。
【請求項３】
前記密閉区画を形成するシート材又は板材は、２〜１０ｍｍの厚さのプラスチック板と０．１〜１．０ｍｍの厚さのポリエチレンテレフタレートフィルムを接着したものである請求項２に記載の小規模アスベスト施工面のアスベスト除去方法。
【請求項４】
前記シート材又は板材は密閉区画内側に飛散防止剤を塗布したものである請求項１ないし請求項３のいずれか１項に記載の小規模アスベスト施工面のアスベスト除去方法。
【発明の詳細な説明】
【技術分野】
【０００１】
本発明は、天井、壁、梁、柱その他建築物の小規模アスベスト施工面のアスベスト除去方法に関する。
【背景技術】
【０００２】
アスベスト（石綿）は、天然の鉱物繊維で、蛇紋岩系のクリソタイル、角閃石系のアモサイトなどがある。アスベストは、耐熱性、対薬品性、絶縁性などの優れた特性があり、建築資材（耐火材、断熱材、防音材）として建物の壁面部分または天井部分等に吹き付けられる等、幅広く使用されてきた。
【０００３】
このようにアスベストは優れた特性を有するものの、疾病との因果関係が指摘されている。すなわち、アスベストは非常に微細なガラス状の針状繊維であり、このアスベストの粉じんが呼吸器に取り込まれると、アスベスト肺の原因や、肺がん、悪性中皮腫を引き起こす原因となると言われている。
【０００４】
そのため、現在では吹き付けアスベストの使用が禁止されている。しかし、現存するアスベストが使用された建造物は、寿命による建替えなどの理由から今後解体のピークを迎える。このような、アスベストが使用された建造物の解体や、吹き付けアスベストを撤去する工事においては、アスベストが容易に周囲に飛散する怖れがある。
【０００５】
従来、建築物の解体、建築物内の内装材除去等を行う際、発生するアスベストの粉塵が工区外に飛散することを防止するために、アスベスト層の表面を板状材料等によって完全に覆うことによって密閉する「囲い込み処理」、アスベストの表面若しくは内部に薬液の含浸若しくは造膜材の散布等を施すことによってアスベスト層の表面部又は全層を完全に被覆または固着、固定化する「封じ込め処理」、施工する部屋または建物の全体を密閉区画とし密閉区画の内部を負圧に維持して発生する粉塵が周囲に飛散することを防止する方法等が知られている。
【０００６】
特許文献１には、アスベストが吹き付けられている建物内をシートなどの遮断物で囲み閉鎖空間を形成し、閉鎖空間内部を負圧状態にしてアスベストの飛散を防止し、その後吹き付けアスベストの剥離回収を行う剥離回収方法が開示されている。
【特許文献１】特開平９−２７９８６１号公報
【発明の開示】
【発明が解決しようとする課題】
【０００７】
しかし、上記のアスベストの剥離回収方法によると、作業を行う部屋または建物の全体を遮断物で囲み密閉空間としてアスベストの剥離回収作業を行うため、特に、アスベスト除去を行う施工面積が１０ｍ２ほどと規模が小さい場合に、施工のための養生が大掛かりなものになり、工費増大の原因となっている。
【０００８】
本発明は、上記問題を鑑みて為されたものであり、アスベストの除去作業において、作業環境の悪化を防止するとともに、除去作業の影響範囲を限られた範囲にとどめることにより大掛かりな養生設備を不要とし、小規模範囲、特定箇所のアスベスト除去に最適である小規模アスベスト施工面のアスベスト除去方法を提供することを目的とする。
【課題を解決するための手段及び発明の効果】
【０００９】
上記課題を解決するため、本発明の小規模アスベスト施工面のアスベスト除去方法は、
天井、壁、梁、柱その他建築物の特定の領域のアスベスト施工面に吹き付けられているアスベストを除去する方法であって、
前記建築物の表面の一部でアスベストが吹き付けられているアスベスト施工面と間隔を介して対向するシート材又は板材は、その外周の端面を密閉区画外に向けて折り曲げるようにして折り曲げ部を設け、該折り曲げ部を発泡ウレタン剤である境界安定剤を介して、アスベスト施工面の外方を囲むノンアスベスト面に密着させ、前記アスベストが吹き付けられている前記アスベスト施工面を含む領域の外方を、密閉機能と耐圧機能を兼ね備えるシート材又は板材が前記間隔を介して包囲することで、耐負圧性の密閉区画を形成する隔離工程と、
前記シート材又は板材を貫通して前記密閉区画内の空気を吸引する負圧発生機構を備えた集塵装置によって、その密閉区画内部を負圧とする負圧工程と、
前記アスベスト施工面とシート材又は板材との間の間隔によって形成されて負圧となった密閉区画内において、前記アスベスト施工面のアスベストに対してドライアイス粒を噴射してアスベストを前記アスベスト施工面から剥離するアスベスト剥離工程と、
前記アスベスト施工面から剥離したアスベストと、ドライアイスから気化した炭酸ガスを含む密閉区画内の空気とを前記集塵装置の負圧発生機構によって吸引し、剥離したアスベストを集塵するのに際し、前記密閉区画内の強い負圧空間を維持したままＨＥＰＡフィルタを有する給気フィルタから外部の空気を前記密閉区画内に取り入れながら行う集塵工程と、
を有することを特徴とする。
【００１０】
本発明の小規模アスベスト施工面のアスベスト除去方法によれば、アスベストを剥離除去する作業は密閉区画内で行われ、この密閉区画はアスベスト施工面を含む特定の領域のみを密閉区画とするため、作業範囲を限られた範囲にとどめることができ、アスベスト粉塵の飛散を防止するための大掛かりな養生が不要となる。そして、小規模の密閉区画内を集塵装置によって負圧とするため、負圧環境を作ることが容易となり、これによって密閉区画内部の空気を外部に流出させない隔離状態とすることができる。
【００１１】
また、アスベスト剥離工程において、ドライアイス粒を使用することにより、ドライアイスは常温にて昇華することから、廃材として残存することがなく、後処理が容易となる。そして、噴射装置から噴出するドライアイス粒子は固体のままアスベスト層に到着して、アスベスト剥離に必要な衝撃力を与えることができるとともに、壁面や天井等の下地とアスベスト層との隙間には昇華した炭酸ガスが侵入するため、容易にアスベスト残渣の剥離を行うことができる。
【００１２】
このような、特定の領域のみのアスベスト剥離除去作業とすることによって、除去作業の工期短縮にも繋がる。
【００１３】
また、シート材又は板材の端面を密閉区画外に向けて折り曲げ部を設け、その折り曲げ部は集塵装置による負圧工程によってノンアスベスト面に密着している。このように、集塵装置による密閉区画内の空気を吸引する負圧肯定によって、シート材又は板材の折り曲げ部がノンアスベスト面に密着し、密閉区画内外を隔絶することができる。
【００１４】
また、シート材又は板材の端面とノンアスベスト面との接着部を境界安定剤によってノンアスベスト面に接着させて密閉区画とすることができる。これによって、密閉区画を形成するシート材又は板材がアスベスト施工面に境界安定剤によって固着されているため、アスベスト剥離除去作業によって生じるアスベスト粉塵が外部に飛散することを防ぐ。
【００１５】
また、境界安定剤は、発泡ウレタン剤を用いることができ、また、境界安定剤はシート材又は板材の折り曲げ部における密閉区画内側と密閉区画外側の間に、ノンアスベスト面に密着させない非密着空間を残すように、密閉区画内側および密閉区画外側とノンアスベスト面との間に、塗布することができる。これによって、シート材又は板材の端面とノンアスベスト面との高い接着強度を得ることができ、密閉区画内の密閉性を維持することができる。
【００１６】
また、密閉区画を形成するシート材又は板材は、２〜１０ｍｍの厚さのプラスチック板と０．１〜１．０ｍｍの厚さのポリエチレンテレフタレートフィルムを接着したものとすることができる。この構成によって、集塵装置によって密閉区画内を強烈な負圧状態としても、耐圧可能な密閉区画とすることができる。
【００１７】
また、シート材又は板材は密閉区画内側に飛散防止剤を塗布したものとすることができる。この構成によって、アスベスト剥離除去作業後に、密閉区画を形成していたシート材又は板材を外す際に、シート材又は板材に付着したアスベスト粉塵の飛散を防ぐことができる。
【００１８】
密閉区画内に密閉区画外から空気を供給するための給気フィルタを備え、
給気フィルタは減圧機能を備えており、密閉区画内の強い負圧空間を維持したまま空気を供給する構成とすることができる。このように、給気フィルタを備えることによって、密閉区画内を負圧状態にする際に、給気フィルタから外部の空気を取り入れることができ、密閉区画内の空気が循環して、集塵装置によってアスベスト粉塵を吸引し易い構成となる。また、給気フィルタ自身に減圧機能を備えることにより、空気を密閉区画内に供給する際に密閉区画内の負圧状態を維持することが可能となる。
【発明を実施するための最良の形態】
【００１９】
以下、本発明の実施形態を、図面を参照しながら説明する。
図１は、本発明に係る小規模アスベスト施工面のアスベスト除去方法による作業区域の一例を示す平面断面図であり、壁面（アスベスト施工面）１に設置してある配電盤１０の裏部分だけに付着しているアスベスト２を剥離除去する作業の実施例を示す。本発明の小規模区画のアスベスト除去方法は、隔離工程と、負圧工程と、アスベスト剥離工程と、集塵工程とを通して行われる。
【００２０】
まず第１工程として隔離工程は、アスベスト施工面１を含む領域の外方を覆うように気密性のあるシート材３によって包囲しつつ密閉区画４とする。シート材３は、プラスチックシート等の気密性を有するものが用いられる。シート材３は、プラスチックシートに限られず、気体不通性又は粉塵不通性を有するものであれば布状物や壁状部材であってもよい。本実施形態では、図２に示すように、３ｍｍの厚さのプラスチック板３２と０．１５ｍｍの厚さのＰＥＴ（ポリエチレンテレフタレート）フィルム３３を接着したものを用いている。この構成によって、集塵装置によって密閉区画４内を強烈な負圧状態としても耐圧可能となる。シート材３には、予めアスベスト飛散防止剤を塗布しておくのが好ましい。
【００２１】
このシート材３の端面を密閉区画４外に向けて折り曲げ部３１を設け、この折り曲げ部３１がノンアスベスト面１１に密着する。このとき、折り曲げ部３１とノンアスベスト面１１との接着部を、図３に示すように、境界安定剤９によって接着させて密閉区画としている。これによって、シート材３をノンアスベスト面１１に安定させて固定し、シート材３の内外を隔絶する。この境界安定剤９は、柔軟性を保つ程度に緩く固化し、アスベスト粉塵の飛散を食い止める程度の粘着性を有する物質が適しており、ノンアスベスト面１１の表面に塗布されてシート材３を安定に接着するものである。境界安定剤９として、溶液状又はエマルジョン状の合成樹脂若しくは合成ゴムを用いることができる。本実施形態では、境界安定剤９として発泡ウレタン剤を注入して接合強度を確保して使用しているが、これに限定されるものではなく、ポリビニルアルコール、メチルセルロース、カルボキシメチルセルロース等の水溶性高分子、酢酸ビニル樹脂、ポリエステル樹脂等の熱可塑性樹脂、エポキシ樹脂やウレタン樹脂等の硬化剤との科学反応型硬化性樹脂を用いることができる。また、スチレン−ブタジエンゴム、クロロプレンゴム、ブタジエンゴム等の合成ゴムを用いることも可能である。
【００２２】
図１に戻って、密閉区画４内の空気を吸引する集塵装置５を備えており、密閉区画４の内部と外部の境界には、密閉区画４外から密閉区画４内に空気を供給するための給気フィルタ８が設置されている。負圧工程は、この集塵装置５の負圧発生機構５０によって密閉区画内の空気を吸引することによって、密閉区画４内部を負圧としている。
【００２３】
集塵装置５は、ホース５１によって密閉区画４と接続され、ホース５１に接続されたケース５２と、その内部に設けられた吸引ファン５３と、この吸引ファン５３を回転駆動するモータ５４と、そのモータ５４の回転速度を調節して負圧の程度を調節する調節操作部５５とによって負圧発生機構５０を構成しており、アスベスト粉塵を集塵する集塵部５６と、排気口５７を備えている。そして、負圧発生機構５０のモータ５４によって吸引ファン５３が回転し、密閉区画４内の空気を吸引し、集塵部５６の排気口５７を通過して排出することによって、密閉区画外と比較して内部を負圧に維持している。本実施形態では、密閉区画外の気圧に比べて密閉区画４内の気圧が−５Ｐａ〜−１０Ｐａの範囲内の気圧となるように設定されている。集塵装置５は、給気フィルタ８から取り入れた外部の空気が密閉区画４内を均一に流れ、排気されるような位置に設置されている。これによって、外部の空気は流入できるものの、内部の空気を流出させない負圧隔離状態とすることができる。集塵装置５の排気口５７には防塵フィルタとしてＨＥＰＡフィルタが設置されており、密閉区画４内の粉塵が外部に流出することを防いでいる。
【００２４】
給気フィルタ８は、外部からの空気を取り入れるためのものであり、密閉区画４の内部と外部の境界に設置されている。給気フィルタ８は、減圧機能を備えており、集塵装置５によって密閉区画４内を負圧状態にする際に、密閉区画４内の強い負圧空間を保ちながら給気フィルタ８を通して外部の空気を取り入れることができる。なお、減圧機能としてはオリフィスで構成することができる。また、給気フィルタ８にはＨＥＰＡフィルタが用いられており、たとえ密閉区画４内が正圧となって密閉区画４内の空気が外部に流出する状況になったとしても、アスベスト粉塵が外部に飛散することを防いでいる。
【００２５】
次に、アスベスト剥離工程は、高圧噴射装置７を用いて行われ、ドライアイス粒６を噴射してアスベスト２をアスベスト施工面１から剥離する。高圧噴射装置７は、ドライアイスホッパ７１、コンプレッサ７２、ホース７３、ノズル７４を備えており、圧縮空気を噴射させることができる。すなわち、ドライアイス粒６は、ドライアイスホッパ７１からホース７３を通してノズル７４から圧縮空気とともにアスベスト施工面１に向けて噴射される。噴射されるドライアイス粒６は、アスベストの剥離に必要な衝撃力を与えることができるとともに、壁面部分や天井部分のアスベスト施工面１とアスベスト層との隙間や、壁面部分や天井部分のコンクリート面の小穴に残るアスベスト残渣に対して、昇華した炭酸ガスが侵入することが可能なため、除去作業を容易にすることができる。
【００２６】
このようにして剥離されたアスベストは、集塵工程において、集塵装置５の負圧発生機構５０によって回収される。すなわち、高圧噴射装置７によって圧縮空気を噴射してアスベスト２の剥離を行うため、密閉区画４内はアスベスト粉塵が飽和状態となる。このアスベスト粉塵は、ドライアイス粒６とともに集塵装置５によって吸引される。集塵装置５によって密閉区画４内の空気を吸引する際に、給気フィルタ８から外部の空気を取り入れることによって密閉区画４内の空気が循環し、アスベスト粉塵を吸引し易い構成となる。吸引された気体は、集塵部５６の排気口５７を通過して排気される。ドライアイスは昇華するので、廃材として残存することがなく、アスベストのみが集塵部５６に集塵されることになる。
【００２７】
こうして本発明に係る小規模アスベスト施工面のアスベスト除去方法の隔離工程と、負圧工程と、アスベスト剥離工程と、集塵工程とを通して、アスベスト施工面１には実質的にほとんどアスベストが残らないアスベストの剥離除去が達成される。
【００２８】
アスベストの剥離除去作業が完了したら、密閉区画４内ではしばらく集塵装置５を稼動させて密閉区画４内部の空気の換気を行う、またはアスベスト飛散防止剤を散布する等をして、密閉区画４内の汚染空気を処理した後、ゆっくりと密閉区画４を形成しているシート材３をノンアスベスト面１１から外す。このとき、アスベスト粉塵には注意しながら外し、シート材３に付着したアスベスト粉塵が内側となるようにシート材３を折り畳む。そして、廃棄用のプラスチック袋で二重に梱包して廃棄する。
【００２９】
なお、隔離工程において密閉区画４を形成する際に、予め密閉区画内側に飛散防止剤を塗布したシート材３を用いると、外す際に、シート材３に付着したアスベスト粉塵の飛散を防ぎながら外すことができる。
【００３０】
以上、本発明の実施形態について説明したが、本発明はこれらの形式に限定されるものではなく、これらに具現された発明と同一性の範囲内において適宜変更して実施し得る。
【００３１】
本発明によれば、小規模区画のアスベストの剥離除去作業において、従来のような、施工する部屋または建物の全体の「囲い込み処理」や、薬液等を散布してアスベスト層を被覆する「封じ込め処理」をする必要がなく、現状のままでアスベスト剥離除去作業を行うことができるため、容易にアスベストを除去することができる。また、アスベスト施工面を含む特定の領域のみを密閉区画として作業を行うため、作業範囲を限られた範囲にとどめることができ、アスベスト粉塵の飛散を防止するための大掛かりな養生が不要となる。さらに、強烈な負圧状態に耐えることのできるシート材によって密閉区画を形成して負圧環境を作っており、シート材は境界安定剤によって壁面に固定されるため、密閉区画内部の空気を外部に流出させない隔離状態とすることができる。このようにして、アスベスト粉塵の飛散を防止し、安全にアスベスト剥離除去作業を行うことができる。
【図面の簡単な説明】
【００３２】
【図１】本発明に係る小規模アスベスト施工面のアスベスト除去方法による作業区域の一例を示す平面断面図。
【図２】図１のシート材の構成を示す断面図。
【図３】図１のシート材の接合部分を説明するＡの拡大図。
【符号の説明】
【００３３】
１      アスベスト施工面
２      アスベスト
３      シート材
４      密閉区画
５      集塵装置
６      ドライアイス粒
７      高圧噴射装置
８      給気フィルタ
９      境界安定剤
１０    配電盤
１１    ノンアスベスト面
３１    折り曲げ部
３２    プラスチック板
３３    ポリエチレンテレフタレートフィルム
５０    負圧発生機構
【要約】      （修正有）【課題】アスベストの除去作業において、作業環境の悪化を防止するとともに、除去作業の影響範囲を限られた範囲にとどめることにより大掛かりな養生設備を不要とし、小規模範囲、特定箇所のアスベスト除去に最適である小規模アスベスト施工面のアスベスト除去方法を提供する。【解決手段】アスベスト施工面１を含む領域の外方を包囲して密閉区画４とし、シート材３又は板材を貫通して密閉区画４内の空気を吸引する負圧発生機構５０を備えた集塵装置５によって、内部を負圧とし、負圧となった密閉区画４において、アスベスト施工面１のアスベスト２に対してドライアイス粒６を噴射してアスベスト２を剥離するアスベスト剥離工程と、剥離したアスベスト２と、ドライアイス粒６から気化した炭酸ガスを含む密閉区画４内の空気とを集塵装置５の負圧発生機構５０によって吸引し、剥離したアスベスト２を集塵する集塵工程と、を有することを特徴とする。【選択図】図１【図１】
0004170368.tif 000002
【図２】
0004170368.tif 000003
【図３】
0004170368.tif 000004